(57)【要約】  様々な処理及びモデルが、表示素子の製造に使用するためのレーザ誘起熱転写用に提供される。これらの処理及びモデルは、レーザ誘起熱転写に使用するためのドナーフィルムの製造及び納品、並びに、ドナーフィルムを使用する転写プロセスについての関連情報の使用の許諾を説明する。
2009502023.tif 000002
【特許請求の範囲】
【請求項１】
関連の指示を使用するレーザ誘起熱転写のための方法であって、
基板及び該基板の上の光熱変換層を有するドナーフィルムであって、第二のエンティティにより製造されて第一のエンティティに納品されるドナーフィルムを、該第一のエンティティにより受理することと、
転写プロセスに従う前記ドナーフィルムを使用した材料のコーティング及び転写の手法を示す指示を受けることと、
表示素子を製造するために、前記指示に従い、前記ドナーフィルムの前記光熱変換層の上に転写層として前記材料をコーティングし、転写プロセスを実行することと、
を含む方法。
【請求項２】
前記指示を受けるステップは、前記ドナーフィルムに関する転写プロセス条件と、前記ドナーフィルムの状態と、前記転写プロセスにより少なくとも部分的に作られる表示素子の構造とに基づいて、前記転写プロセスを行う手法を示す前記指示を受けることを含む、請求項１に記載の方法。
【請求項３】
前記指示に基づき前記転写プロセスのための前記ドナーフィルムの使用可能部分を決定することを更に含む、請求項１に記載の方法。
【請求項４】
前記転写プロセスのための前記指示の使用を許諾することと、ライセンス料を提供することとを更に含む、請求項１に記載の方法。
【請求項５】
前記第一のエンティティにより前記転写プロセスを実行可能な転写装置を購入することを更に含み、前記第二のエンティティが該転写装置の該購入を手配する、請求項１に記載の方法。
【請求項６】
前記第二のエンティティにより前記転写プロセスを実行可能な転写装置の使用を許諾することを更に含む、請求項１に記載の方法。
【請求項７】
関連の互換性ファイルを使用するレーザ誘起熱転写のための方法であって、
基板及び該基板の上の光熱変換層を有するドナーフィルムであって、第二のエンティティにより製造されて第一のエンティティに納品されるドナーフィルムを、該第一のエンティティにより受理することと、
転写プロセスのための、転写される特定の材料と前記ドナーフィルムの特定の構造との、互換性を保証する互換性ファイルを受けることと、
前記互換性ファイルに従い、材料を選択するとともに前記ドナーフィルムの特定の構造を選択することと、
表示素子を製造するために、前記ドナーフィルムの選択された構造の上に転写層として前記選択された材料をコーティングし、前記転写プロセスを実行することと、
を含む方法。
【請求項８】
コンピュータ化された方法により、前記互換性ファイルに基づいて、中央クリアリングハウスからの、前記選択された材料及び前記ドナーフィルムの前記選択された構造の発送を受理することを更に含む、請求項７に記載の方法。
【請求項９】
前記転写プロセスを実行するための前記互換性ファイルの使用を許諾することと、ライセンス料を提供することとを更に含む、請求項７に記載の方法。
【請求項１０】
フィルムフレームを使用するレーザ誘起熱転写のための方法であって、
基板及び該基板の上の光熱変換層を有するドナーフィルムであって、第二のエンティティが、該ドナーフィルムを製造し、フィルムフレームに該ドナーフィルムを装着し、該装着したドナーフィルムを有する該フィルムフレームを第一のエンティティに納品するようになっている、フィルムフレームに装着されるドナーフィルムを、該第一のエンティティにより受理することと、
表示素子を製造するために、前記フィルムフレーム内の前記ドナーフィルムに材料を塗布し、前記フィルムフレーム内で前記ドナーフィルムのための転写プロセスを実行することと、
前記装着したドナーフィルムを伴う前記転写プロセスのための前記フィルムフレームの使用を許諾し、ライセンス料を提供することと、
を含む方法。
【請求項１１】
前記転写プロセスの後に前記第二のエンティティに前記フィルムフレームを返却することと、前記フィルムフレームの該返却に対し、前記ライセンス料に充当されるクレジットを受理することとを更に含む、請求項１０に記載の方法。
【請求項１２】
前記装着したドナーフィルムを有する前記フィルムフレームのカセットを受理することを更に含む、請求項１０に記載の方法。
【請求項１３】
ドナーフィルムの使用を許諾することによるレーザ誘起熱転写のための方法であって、
基板及び該基板の上の光熱変換層を有するドナーフィルムであって、第二のエンティティにより製造されて第一のエンティティに納品されるドナーフィルムを、該第一のエンティティにより受理することと、
表示素子の製造に使用するために、前記ドナーフィルムの上に材料をコーティングし、該コーティングされたドナーフィルムの転写プロセスを実行することと、
前記転写プロセスのための前記ドナーフィルムの使用を前記第二のエンティティに許諾することと、
前記転写プロセスの後に、前記転写されたドナーフィルムを返却することと、
前記転写されたドナーフィルムの返却に対し、前記第二のエンティティからクレジットを受理することと、
を含む方法。
【請求項１４】
ドナーフィルムストックロール製品を使用するレーザ誘起熱転写のための方法であって、
基板及び該基板の上の光熱変換層を有するドナーフィルムであって、第二のエンティティが、該ドナーフィルムをストックロール製品として製造し、該ドナーフィルムの転写プロセスのために該ストックロール製品ドナーフィルムの複数部分を分割する複数の転写領域を該ストックロール製品内に提供し、該ストックロール製品ドナーフィルムを第一のエンティティに納品するようになっている、フィルムフレームに装着されるドナーフィルムを、該第一のエンティティにより受理することと、
前記複数の転写領域に基づいて前記ドナーフィルムに材料を塗布することと、
表示素子の製造に使用するために、前記複数の転写領域に基づいて前記ドナーフィルムの転写プロセスを実行することと、
を含む方法。
【請求項１５】
前記受理するステップは、前記光熱変換層を含まない複数の切断領域を有する前記ストックロール製品ドナーフィルムを受理することを含む、請求項１４に記載の方法。
【請求項１６】
連続処理を使用するレーザ誘起熱転写のための方法であって、
基板及び該基板の上の光熱変換層を有するドナーフィルムを製造することと、
転写される材料を前記ドナーフィルムにコーティングすることと、
表示素子の製造に使用するために前記材料を有する前記ドナーフィルムを転写することと、
を含み、
前記製造ステップ、前記コーティングステップ及び前記転写ステップが、設備内で単一の連続処理として行われる、方法。
【請求項１７】
レーザ誘起熱転写のために中央クリアリングハウスを提供するコンピュータ化された方法であって、
転写用の材料の識別と、ドナーフィルムの構造の識別と、どの前記材料が転写プロセスに関してどの前記ドナーフィルム構造と互換性を有するかを表示する互換性データとを、中央リポジトリに電子的に格納することと、
エンティティからドナーフィルムの注文を受理することと、
前記注文及び前記互換性データに基づいて、少なくとも１つの前記材料と少なくとも１つの前記ドナーフィルム構造とを選択することと、
前記選択されたドナーフィルムの前記エンティティへの納品を電子的に手配することと、
前記選択された材料の表示を提供するメッセージを前記エンティティへ電子的に送ることと、
を含む方法。
【請求項１８】
前記ドナーフィルムの納品に関するインボイスを前記エンティティへ電子的に送ることを更に含む、請求項１７に記載の方法。
【請求項１９】
前記転写プロセスのために使用可能な前記特定のドナーフィルム構造の一部分の表示を提供する使用データを、前記中央リポジトリに格納することを更に含む、請求項１７に記載の方法。
【請求項２０】
前記使用データを前記エンティティに電子的に送ることと、
前記使用データの料金を受理することと、
を更に含む、請求項１９に記載の方法。
【発明の詳細な説明】
【技術分野】
【０００１】
本発明は、表示素子を製造するためレーザ誘起熱転写を実施するためのビジネスモデル及び方法に関する。
【背景技術】
【０００２】
レーザ誘起熱転写（ＬＩＴＩ）は、ドナーフィルムからレセプター表面への材料の熱的物質移動に基づいたデジタル印刷技術である。有機発光ディスプレイ（ＯＬＥＤ）に関して、ドナーフィルムは、赤色、緑色又は青色の発光材料の極薄層で、一度に１つの材料でコーティングされる。パターニングのための転写プロセスは、アクティブマトリクスＯＬＥＤ背面にコーティングされたドナーフィルムを積層することにより実行される。整列ステップの後、レーザは、転写プロセスにおける積層されアセンブリを露出するために使用される。材料の露出領域は、ドナーフィルムから剥がされて、レセプターに付着された。このステップは、赤色、緑色、青色の材料に対して３回繰り返される。
【０００３】
ドナーフィルムをコーティング及び転写するステップは、極めて清浄な環境を必要とする。ＯＬＥＤ材料又は送出される他の材料は、一般に酸素、湿気及び他の汚染物質（例えば塵）に非常に敏感である。それらの汚染物質は、ＬＩＴＩ処理中ＯＬＥＤ装置内に密閉される場合、ＯＬＥＤ装置の性能及び寿命を深刻に低下させる。
【０００４】
１つのエンティティが、ドナーフィルムを製造せず、フィルムをコーティングし転写する全ＬＩＴＩ処理を行わない場合、これらの検討は、重要でありえる。例えば、ドナーフィルムを製造するための技術を保有するある会社が、ＯＬＥＤ又は、ＬＩＴＩ処理を使用して他のディスプレイを作製する事業の中に必ずしもあるわけではない。ＬＩＴＩ処理を使用したディスプレイを作製する事業内にある他の会社は、ドナーフィルムを製造する技術を必ずしも有していないことがあり、又は、それらの会社は、ＬＩＴＩ処理内でドナーフィルムを使用する権利を必要とすることもある。また、ＬＩＴＩ処理は、例えばコーティングされる材料と転写状態とに依存する、多くの異なる構造又はタイプのドナーフィルムを含むことができる。
【発明の開示】
【発明が解決しようとする課題】
【０００５】
従って、ディスプレイ製造業者により所望される使用に向けた最良のドナーフィルムを作製するために、ドナー製造業者は多くの場合、ディスプレイ製造からの情報を必要とする。
【０００６】
レーザ熱印刷を基盤としたいくつかの現存している企業がある。大部分のそれらのビジネスモデルは、デジタル網版色校正システムとして、グラフィックアート市場で使用するために設計されており、それらはそれゆえに、ＬＩＴＩ処理により必要とされる特定の考察に対処していない。特定の、既存の会社及びビジネスモデルは、一般に、あらゆる特定の顧客にイメージセッタ又はメディアを合わせることなく、イメージセッタ及び予めコーティングされたメディアを供給する。以下は、これらの会社及びビジネスモデルの例である。
【０００７】
米国、マサチューセッツ州ベッドフォードのラトラン・テクノロジーズ（Latran Technologies）は、デジタル網版レーザ色校正システムを、グラフィックアート及び印刷市場へ供給する会社である。このシステムは、レーザアブレーション技術 （ＬＡＴ）に基づき、ラトランのドライ技術イメージセッティングフィルムを使用する。ラトランの顧客は、４つのレーザ ・イメージセッターのうちの１つ並びにイメージセッティングフィルムを購入することができるらしい。このフィルムは顔料の転写層で予めコーティングされている。
【０００８】
米国、ニューヨーク州ローチェスターのコダック（Kodak）は、レーザ・マッチプリント（LASER MATCHPRINT）、コダック・アプローバル（KODAK APPROVAL）、及びクレオ・スペクトラム（CLEO SPECTRUM）として公知の少なくとも３つの市販のデジタル網版レーザ色校正システムを有していた。レーザ・マッチプリント製品はハードウエア、ソフトウェア及びメディアを含むレーザ熱転写システムである。このメディアは、着色された転写層を有する予めコーティングされた転写フィルムとして販売されている。コダック・クレオ転写装置は、クレオにより適格とされた様々なメディアと共に使用されてよい。例えば、以下の会社からのレーザ熱転写メディアは、クレオのスペクトル・レーザ・イメージセッターで使用するための適格なメディアとして認められている：米国、デラウエア州ウィルミントンのデュポン（DuPont）、米国、ニューヨーク州ヴァルハラのフジ・フォトフィルムＵ．Ｓ．Ａ．、コダック・ポリクロム・グラフィックス（Kodak Polychrome Graphics） （コダックのグラフィック・コミュニケーション・グループの一部）、及びラトラン。クレオは、それらのイメージセッターで使用するために最適化されたデジタルメディアも販売する。
【０００９】
フジ・フォトフィルムＵ．Ｓ．Ａ．は、熱ドナーメディアのみならず、デジタル網版レーザ色校正システムも販売する。メディアは、着色された転写層でおそらく予めコーティングされている。
【００１０】
米国、ニューヨーク州アムハーストのインターナショナル・イメージング・マテリアル（ｉｉｍａｋ）は、従来の（例えば、レーザではない） 熱転写印刷用の熱転写フィルムの製造業者である。ｉｉｍａｋはレーザ熱転写システム用のメディアを製造しないので、この会社は、転写メディアにおける既存の産業の例であり、前記メディアは、予めコーティングされたフィルムのロールとして供給される。
【課題を解決するための手段】
【００１１】
関連の指示を使用したレーザ誘起熱転写のための方法は、以下のステップを含む。第一のエンティティは、基板及び該基板の上の光熱変換層を有するドナーフィルムを受理する。ドナーフィルムは、第二のエンティティにより製造され、第一のエンティティに納品される。転写プロセスに従って、ドナーフィルムを使用する材料をコーティングし転写する手法を示す指示が、受理される。表示素子を製造するために、材料は、ドナーフィルムの光熱変換層上に転写層としてコーティングされ、指示に従って、転写プロセスが実行される。
【００１２】
関連の互換性ファイルを使用したレーザ誘起熱転写のための方法は、以下のステップを含む。第一のエンティティは、基板と該基板の上の光熱変換層とを含むドナーフィルムを受理する。ドナーフィルムは、第二のエンティティにより製造され、第一のエンティティに納品される。互換性ファイルは受理されて、そのファイルは、転写プロセスのためのドナーフィルムの特定の構造を有する転写される特定の材料の互換性を保証する。互換性ファイルに従い、ドナーフィルムの材料を選択すると共に特定の構造は選択される。選択された材料はドナーフィルムの選択された構造上で転写層としてコーティングされ、転写プロセスは表示素子の製造のために行われる。
【００１３】
フィルムフレームを使用したレーザ誘起熱転写のため方法は、以下のステップを含む。第一のエンティティは、第二のエンティティ又はサードパーティによりフィルムフレームに装着したドナーフィルムを受理し、ドナーフィルムは、基板及び該基板の上の光熱変換層を有する。第二のエンティティは、ドナーフィルムを製造し、ドナーフィルムをフィルムフレームに装着し、該装着したドナーフィルムを有するフィルムフレームを第一のエンティティに納品する。材料はフィルムフレーム内のドナーフィルムに付与されて、転写プロセスは、ドナーフィルムに対してそして表示素子を製造するためのフィルムフレーム内で行われる。フィルムフレームの使用は、装着したドナーフィルムを伴う転写プロセスのために許諾され、ライセンス料が提供される。
【００１４】
ドナーフィルムの使用を許諾することによるレーザ誘起熱転写のための方法は次のステップを含む。第一のエンティティは、基板及び該基板の上の光熱変換層を有するドナーフィルムを受理する。ドナーフィルムは、第二のエンティティにより製造されて、第一のエンティティに納品される。材料は、ドナーフィルム上にコーティングされ、該コーティングされたドナーフィルムの転写プロセスは、表示素子の製造で使用するために行われる。第二のエンティティは、転写プロセスのためのドナーフィルムの使用を許可し、被転写ドナーフィルムを返却するためのクレジットを受理する。
【００１５】
ドナーフィルムストックロール製品を使用したレーザ誘起熱転写のための方法は、以下のステップを含む。第一のエンティティは、フィルムフレームに装着したドナーフィルムを受理し、該ドナーフィルムは、基板及び該基板の上の光熱変換層を有する。第二のエンティティは、ストックロール製品としてドナーフィルムを製造し、ドナーフィルムの転写プロセスを目的とするストックロール製品撮像領域内に提供し、ストックロール製品ドナーフィルムの第一のエンティティに納品する。材料は、複数の転写領域に基づいてドナーフィルムに付与されて、転写プロセスは、ドナーフィルムに対してそして表示素子の製造に使用するためのフィルムフレーム内で実施される。
【００１６】
連続工程を使用したレーザ誘起熱転写のための方法は、以下のステップを含む。ドナーフィルムは製造され、材料でコーティングされ、表示素子の製造に使用するためのその材料で転写される。製造ステップ、コーティングステップ及び転写ステップは、単一の連続ステップとして装置内で起こる。
【００１７】
中央クリアリングハウスをレーザ誘起熱転写に提供するためのコンピュータ化された方法は、以下のステップを含む。中央リポジトリは、転写材料の識別と、ドナーフィルムの構造の識別と、どの前記材料が転写プロセスに関してどの前記ドナーフィルム構造と互換性を有するかを表示する互換性データとを格納する。ドナーフィルムの注文は、エンティティから受理する。注文及び互換性データに基づいて、少なくとも１つの材料を選択すると共にドナーフィルム構造は選択される。選択されたドナーフィルムのエンティティへの納品が電子的に手配され、メッセージは、選択された材料の表示を提供するエンティティへ電子的に送信される。
【００１８】
本発明で使用する、下記の用語及び句は、以下の意味を有する。
【００１９】
「ディスプレイ背面」という用語は、画素及びサブピクセルのアレイ、行電極と列電極とを含む基板、電子表示装置に組み込まれるサブピクセル制御回路及びビデオ又はデータ写真の各時間フレームにおける各サブピクセルの相対的な外観（例えば輝度）を制御する機能を指す。
【００２０】
用語「表示素子」は、ユーザーに見えるか見えないかにかかわらず、あらゆる要素、構成要素又は表示装置のサブコンポーネントを指す。
【００２１】
用語「表示パネルエンティティ」 は、表示素子を形成するための転写プロセスを実行する、又は実行していくためのドナーフィルムを使用するエンティティを指す。
【００２２】
用語「ドナーエンティティ」は、ドナーフィルムを製造又は作製し、別のエンティティに提供可能なエンティティを指す。
【００２３】
用語「ドナーフィルム」は、例えば、支持フィルム、加熱層、任意の中間層（又は中間層）及び転写層を含む、ＬＩＴＩ用の完全なアセンブリを指す。
【００２４】
使用される用語「エンティティ」、例えば、「ドナーエンティティ」という用語において、表示パネルエンティティ、及び転写装置エンティティは、会社等の分離した法人を指し得て、あるいは、異なる事業部、グループ又は同じ会社の子会社等の同じ法人の分離した部分を指す。
【００２５】
用語「フィルムフレーム」は、ストックロール又はドナーフィルム用に設計された固定支柱を指す。
【００２６】
用語「転写装置」は、ドナーフィルムからレセプター表面、例えばディスプレイ背面へ材料を転写可能に設計された、正確なレーザ露出プラットフォームを指す。
【００２７】
用語「転写装置エンティティ」は、 ＬＩＴＩ処理に使用するための転写装置を製造又は作製するエンティティを指す。
【００２８】
用語「転写プロセス」は、材料をドナーフィルムからレセプターへ、ＬＩＴＩ処理の一部として転写するためのドナーフィルムの転写を指す。
【００２９】
用語「ＬＩＴＩ」はレーザ誘起熱転写を指す。
【００３０】
用語「ストックロール」は、例えば、支持フィルム及び加熱層を含み、かつ、転写層を含まない、ＬＩＴＩ用の不完全なアセンブリを指す。
【００３１】
「売り主」は、エンティティ（用語「エンティティ」の定義を参照のこと）を指す。
【発明を実施するための最良の形態】
【００３２】
概観
ＬＩＴＩは、フラットパネル表示装置又は他のアプリケーションの印刷用材料のために開発されてきたドライ、デジタル、高解像度のパターニング方法である。本発明は特に、これらの材料が予めコーティングされていない場合に、ドナーを使用して極薄材料を転写するのに適している。この材料は、ＯＬＥＤ材料又はあらゆる目的のための、あらゆる転写される材料を含む。特定の実施形態では、ＬＩＴＩ方法は、逐次的に行われる以下のステップを含む。
【００３３】
１．  一連の産業用コーティング技術による、基板及び光熱変換（ＬＴＨＣ）層を有するドナーストックロールの製造。図１に示すように、ドナーストックフィルム１０は、該ドナーストックフィルム１０上に、光熱変換 （ＬＴＨＣ）層１４及び任意の熱安定中間層１６の順序で蒸着された光透過性の基板１２を含む。基板１２は、一般にポリエステルフィルム、例えば、ポリ（エチレン・テレフタレート）又はポリ（エチレン・ナフタレート）である。しかし、適当な光学的性質及び充分な機械的安定度を有するあらゆるフィルムが使用可能である。
【００３４】
２．  完成したドナーフィルムを形成するための、転写層１８ （例えば、３０ｎｍ厚さのＯＬＥＤ放射性材料のフィルム）のドナー ストックロール上への蒸着。
【００３５】
３．  完成したドナーフィルムの表示基板への積層。
【００３６】
４．  高出力かつ高位置精度のレーザシステムと積層したドナーフィルム／基板の露出。
【００３７】
５．  使用済みドナーフィルムの除去及び任意の廃棄。
【００３８】
６．  未使用の転写層材料 （特定の実施形態において元々蒸着されるように、材料の８５％まで）の任意の、回収、精製、再生利用。
【００３９】
ＬＩＴＩ技術の実施形態は、表示基板の上で様々な材料をパターニングするために開発される。例えば、ＬＩＴＩは、パターニング・カラー・フィルター、色温度変換フィルター、黒色マトリックス材料、ＯＬＥＤ材料、蛍光体、偏光子及び他の材料又は技術に使用可能である。ドナーフィルム製造業者 （ドナーエンティティ）の役割は、通常、フラットパネル表示装置（ＦＰＤ）の製造業者により特定されるように、技術を実証し、レーザ露出システムを設計し、特定かつ最適化されたドナーフィルムを開発し、単数及び複数の材料の転写可能性を保証することである。
【００４０】
多くの理由から、ＦＰＤ製造業者がＬＩＴＩ処理中のドナーフィルムをコーティング及び転写することを可能にするために、ドナーストック材料 （前記ステップ１）を関連技術と共にＦＰＤ製造業者に提供することはドナーフィルム製造業者にとって好ましい。このことは、ＦＰＤ製造業者が、極めて清潔な半導体作製環境において臨界転写層 （上記ステップ２）を蒸着し、梱包及び発送の間に極薄層の安定性の発生を防止し、転写層のコーティングと転写との間の時間を短縮することを可能にする。
【００４１】
ＬＩＴＩ処理のための完成品、転写層を有するドナーフィルムは、ドナーフィルム 製造業者のサイトよりはむしろＦＰＤサイトで完成され、ＬＩＴＩパターニング処理において使用されるので、未完成のドナーフィルムの売り上げ及び処理の使用の許諾に関連の独自のかつ有利なビジネスモデルが存在する。
【００４２】
ＬＩＴＩ処理の例は、あたかも完全に記載されるかのように本願明細書に引用して組み込まれる、ウォークら（Wolk et al.）の「ＯＬＥＤ材料のレーザ熱パターニング」の有機発光材料及び装置ＶＩＩ、ＳＰＩＥ第５５１９巻（ＳＰＩＥ，ベリンガム（Bellingham）、ＷＡ２００４）の処置に詳細に記載される。
【００４３】
処理のモデル
表１〜表４は、詳述された順序で実施されたステップによるＬＩＴＩを実行するための処理のモデルの例を提供する。表１〜表４に示す処理のモデルは、例えば関連のエンティティ中の法的関係の形で具体化され、しかも、この関係はモニタされ、コンピュータ化された処理により追跡されることが可能である。
【００４４】
【表１】
2009502023.tif 000003
【００４５】
【表２】
2009502023.tif 000004
【００４６】
【表３】
2009502023.tif 000005
【００４７】
【表４】
2009502023.tif 000006
【００４８】
感光材料のパターニング
図２は、ＬＩＴＩ処理用の指示によりドナーフィルムを提供するためのビジネスモデル２０を示す図である。モデル２０において、ドナーエンティティ２２は表示パネルエンティティ３２にドナーフィルム２４（ステップ２８）及び指示２６（ステップ３0）を提供する。ドナーエンティティ２２は、多くの異なる形、例えばロール製品として、又は個々のシートにおいて、ドナーフィルムを提供できる。ドナーフィルムの保護を補助するために、ドナーエンティティは、一般に発送に適したパッケージ内に該フィルムを梱包し、その後、製品を発送するあらゆる方法によりそれらを運搬する。
【００４９】
ドナーエンティティ２２は、ドナーフィルム２４と共に又は別個に、例えば電子通信において指示２６を提供可能である。この指示は、表示パネルエンティティに提供されたドナーフィルムが転写される手法に関するあらゆる情報、例えば、互換性材料のセット、適切な背面、転写状態、互換性転写装置、各材料の転写波長、又は他のパラメータを含むことが可能である。この指示も、転写用ドナーフィルムの最高の領域又は許可し得る領域を識別するための転写用ゾーンの表示を任意に含むことが可能である。このような指示は、電子フォーマット、例えば、表５に概念的に示すコンピュータ実行データ構造で具現化可能である。各転写撮像領域用のドナーフィルム領域は、多くの方法で示すことが可能である。例えば、それは、特定の開始点からドナーフィルム又は直線の距離測定についての物理的マーキングに関連することができる。
【００５０】
【表５】
2009502023.tif 000007
【００５１】
表示パネルエンティティ３２は、ドナーフィルムをコーティングし、コーティングされたドナーフィルム及び指示を使用して表示素子３４を作製する。表示パネルエンティティは、表示素子３４を作製するために転写装置３６を使用し、転写装置３６を使用するための転写装置エンティティ３８に、購入費用４２又はライセンス料４０を提供することができる。あるいは、ドナーエンティティ２２は、表示パネルエンティティ３２により、転写装置３６の購入を提供することができる（ステップ４６）。指示２６の使用のための応答において、表示パネルエンティティ３２は、ドナーエンティティ２２にライセンス料を提供する（ステップ４４）。
【００５２】
図３は、モデル２０におけるＬＩＴＩ処理のための指示によりドナーフィルムを提供する方法５０のフローチャートである。方法５０では、表示パネルエンティティは、ドナーフィルムのための要求を成し（ステップ５２）、ドナーエンティティからドナーフィルムを受理する（ステップ５４）。表示パネルエンティティも、上記のように、受けたドナーフィルムをパターン化する方法に関する指示を受理する（ステップ５６）。表示パネルエンティティは、転写される材料、一般に、表示素子を作製するために、ＯＬＥＤ又はその他の材料でドナーフィルムをコーティングする（ステップ５８）。指示を使用して、表示パネルエンティティは、コーティングされたドナーフィルムの転写プロセスを実行し（ステップ６０）、それは、例えば、転写プロセス状態、ドナーフィルム状態、表示装置構造及び使用可能なドナーフィルム部分の考察を含むことができる。ライセンス料が指示を使用することを必要とする場合（ステップ７０）、表示パネルエンティティはドナーエンティティに、ライセンス料を提供する（ステップ７１）。転写装置を使用するためにライセンス料が必要な場合（ステップ７２）、表示パネルエンティティはドナーエンティティに、転写装置ライセンス料を提供する（ステップ７４）。ライセンス料は、あらゆる方法でも提供可能であり、あらゆる貨幣価値を含むことができる。
【００５３】
補助的な方法として、ドナーエンティティは転写装置の購入要求を受理することができる（ステップ６２）。表示パネルエンティティが例えば要求を提供する場合（ステップ６４）、ドナーエンティティは、転写装置エンティティに、転写装置仕様を提供し（ステップ６６）、転写装置の購入又は使用の許諾を手配する（ステップ６６）。その後、転写装置は、コーティングされたドナーフィルムのパターニングに使用するために、表示パネルエンティティに納品される（ステップ６８）。この仕様は、例えば、ドナーフィルム構造及び転送される材料に基づいた転写装置のための必要性に関する。
【００５４】
図２及び図３に示されるモデル及び方法は、関連の団体の間の法的関係、ドナーエンティティ、表示パネルエンティティ及び転写装置エンティティの形で具体化されることができる。また、例えば、ドナーフィルム及び指示の納品、ライセンス料及び転写装置の使用をモニタし、かつ、追跡するコンピューター化されたステップとして、図３に示される方法は実行可能である。
【００５５】
ドナー受領者のための互換技術
図４は、ＬＩＴＩ処理用の互換性ファイルを有するドナーフィルムを提供するためのビジネスモデル８０を示した図である。モデル８０では、ドナーエンティティ８２はドナーフィルム８４（ステップ８８）及び互換性ファイル８６（ステップ９０）を表示パネルエンティティ９４に提供する。ドナーエンティティ８２は、ドナーフィルムを多くの異なる形で、例えばロール製品又は個々のシートとして、提供可能である。ドナーフィルムの保護を補助するために、ドナーエンティティは、一般に、発送に適したパッケージにドナーフィルムを梱包し、製品を発送するあらゆる方法を通じてそれを運搬する。
【００５６】
ドナーエンティティ８２は、ドナーフィルム８４と共に、又は、別個、例えば電子通信により、互換性ファイル８６を提供可能である。互換性ファイルは、その性能に実質的に衝撃を与えることなく、表示素子を作製することをもたらす、互換性ＬＩＴＩ処理の表示を提供する。例えば、互換性ファイルが、互換性材料セット、転写装置及び特定のドナーフィルム構造用の露出パラメータの表示を提供可能である。表６は互換性ファイル用の概念上の構造の例を提供し、データベース又は特定のドナーフィルム構造に付随する他のデータ構造内に格納可能である。
【００５７】
【表６】
2009502023.tif 000008
【００５８】
表示パネルエンティティ９４は、ドナーフィルムをコーティングし、コーティングされたドナーフィルム及び互換性ファイルを使用した表示素子９６を作製する。代替モデルとして、表示パネルエンティティ９４は、多数の互換性ファイル１０４を格納した中央クリアリングハウス１０２から、互換性ファイルを要求可能である（ステップ１００）。ドナーエンティティ８２は、また、表示パネルエンティティ９４に互換性ファイルの転写を要求可能である（ステップ１０６）。要求１００又は１０６に応答して、中央クリアリングハウス１０２は、例えば電子メッセージにより、適当な互換性ファイルを表示パネルエンティティ９４に送る（ステップ９８）。ドナーエンティティ８２は、互換性ファイルの使用のための表示パネルエンティティ９４から、ライセンス料を受理することができる（ステップ９２）。
【００５９】
図５は、モデル８０のＬＩＴＩ処理用の互換性ファイルを有するドナーフィルムを提供する方法１１０のフローチャートである。方法１１０において、表示パネルエンティティは、ドナーフィルムのための要求を生成し（ステップ１１２）、ドナーエンティティからドナーフィルムを受理する（ステップ１１４）。Ｔ表示パネルエンティティも、互換性材料及びドナーフィルム用の転写状態に関する互換性ファイルを受理する（ステップ１１６）。互換性ファイルを使用して、表示パネルエンティティは、ドナーフィルムを、転写される材料、一般にＯＬＥＤ又は他の材料でコーティングする（ステップ１１８）。表示パネルエンティティも、表示素子を作製するための互換性ファイルに応じたコーティングされたドナーフィルムの転写プロセスを実行する（ステップ１２０）。ライセンス料が互換性ファイルを使用することが必要な場合（ステップ１２２）、表示パネルエンティティはドナーエンティティに、ライセンス料を提供する（ステップ１２４）。ライセンス料は、あらゆる方法で提供可能であり、あらゆる貨幣価値を含むことが可能である。
【００６０】
図４及び図５に示すモデル及び方法は、例えば、関連の団体、ドナーエンティティ、表示パネルエンティティ及び中央クリアリングハウスの法的関係の形で具現化できる。また、図５に示す方法は、例えば、ドナーフィルム、互換性ファイル及びライセンス料の納品をモニタし、かつ、追跡するコンピュータ化された処理として行うことができる。
【００６１】
収益モデル
図６は、ＬＩＴＩ処理用のフィルムフレームにおけるドナーフィルムを提供するためのビジネスモデル１３０を示した図である。モデル１３０において、ドナーエンティティ１３２は、表示パネルエンティティ１４４にフィルムフレーム（ステップ１４０）のドナーフィルム１３６を提供する。あるいは、ドナーエンティティ１３２は、表示パネルエンティティ１４４へ、フィルムフレーム１３４のカセット内のドナーフィルムを提供可能である（ステップ１３８）。ドナーフィルムの保護を補助するために、ドナーエンティティ１３２は、一般に、発送に適したパッケージにドナーフィルムを梱包し、製品を発送するあらゆる方法を通じてそれを納品する。
【００６２】
フィルムフレームは、表示素子を製造するクラスターツールにより特に有用である。クラスターツールは、一般の移送チャンバにより接続される、別個であるが、しばしば相互依存しているいくつかの処理チャンバを含む。一般の移送チャンバのロボット・アームは、表示素子を作製するために、処理チャンバ間で品目を動かす。共通の移送チャンバは、通常、環境的に制御されず、例えば、減圧、低い含水率、低い酸素含有量で、又は、特定のガスの環境下で保たれてもよい。従って、フィルムフレームの使用により、ロボット・アームが、ドナーフィルムを、制御された環境内の転写用の処理チャンバへ動かすことが可能となる。例えば、第１の色がパターニングされた後に、ロボット・アームは使い切ったフィルムフレームを読み出すことができ、それを他のチャンバ内に移す。その後、ロボット・アームは、他のフィルムフレームを読み出すことができ、フルカラー表示素子を作るために、赤色、緑色、青色のＯＬＥＤ材料をパターン化する、以上のステップを繰り返すことができる。
【００６３】
フィルムフレームのドナーフィルムを使用して、表示パネルエンティティ１４４はドナーフィルムをコーティングし、表示素子１４６を作製するために該ドナーフィルムをパターン化し、被転写ドナーフィルム１４８を有するフィルムフレームとなる。表示パネルエンティティ１４４も、フレーム内でドナーフィルムを使用するためにライセンス料（ステップ１４２）を提供する。あるいは、表示パネルエンティティ１４４が、ドナーフィルムを使用した後に（ステップ１５０）、フィルムフレームが戻された場合、ドナーエンティティ１３２から、クレジットを受理することが可能である（ステップ１５２）。ドナーエンティティ１３２は、納品及び転写用の追加のドナーフィルムを装着するために、戻されたフィルムフレームを再利用することができる。
【００６４】
図７はドナーフィルムフレーム・パッケージ１５４を概念的に示した図である。そして、フィルムフレーム１５６に装着され、パターニング、例えば多数のばね及びクリップ１６０又は他の装置を使用して伸長されるドナーフィルム１５８を含む。図８は、フィルムフレーム、例えばハウジング１６４内のフィルムフレーム１６８に装着され、棚１６６に配置されるドナーフィルムを有するフィルムフレームのカセット１６２を示す図である。フィルムフレームは、転写用のドナーフィルムを装着し、かつ、伸張するあらゆる方法を含むことが可能である。
【００６５】
図９は、モデル１３０のＬＩＴＩ処理用のフィルムフレーム内にドナーフィルムを提供する方法１７０のフローチャートである。方法１７０において、表示パネルエンティティは、ドナーフィルム（ステップ１７２）を要求し、ドナーエンティティから、フィルムフレーム又はフィルムフレームのカセットに装着したドナーフィルムを受理する（ステップ１７４）。表示パネルエンティティは、ドナーフィルムを転写される材料でコーティングし（ステップ１７６）、表示素子を作製するためにコーティングされたドナーフィルムの転写プロセスを実行する（ステップ１７８）。使用の許諾がフィルムフレームのために必要な場合（ステップ１８０）、表示パネルエンティティはライセンス料を提供する（ステップ１８２）。ライセンス料は、あらゆる方法で提供可能であり、あらゆる貨幣価値を含むことができる。表示パネルエンティティがフィルムフレームを返却する場合（ステップ１８４）、ドナーエンティティは戻されたフィルムフレームのためのクレジットを提供する（ステップ１８６）。クレジットは、表示パネルエンティティのもとに設けられたあらゆる貨幣価値を含むことができる。
【００６６】
図１０は、ＬＩＴＩ処理用のドナーフィルムの使用を提供し、使用を許諾するビジネスモデル１９０を示す図である。ドナーエンティティ１９２は、多くの異なる形、例えばロール製品又は個々のシートとして、ドナーフィルムを提供することが可能である。ドナーフィルムの保護を補助するために、ドナーエンティティは、一般に、発送に適したパッケージにドナーフィルムを梱包し、製品を発送するあらゆる方法を通じてドナーフィルムを運搬する。ドナーフィルムの保護を補助するために、ドナーエンティティは、一般に、発送に適したパッケージにドナーフィルムを梱包し、製品を発送するあらゆる方法を通じてそれを納品する。
【００６７】
表示パネルエンティティ２００は、ドナーフィルムをコーティングし、被転写ドナーフィルム２０４の副産物である、コーティングされたドナーフィルムを使用した表示素子２０２を作製する。表示パネルエンティティは、ドナーフィルムの使用のためのドナーエンティティに、ライセンス料を提供する（ステップ１９８）。それは、被転写ドナーフィルムを返却することが可能であり（ステップ２０６）、被転写フィルムを返却するためのクレジットを受理することが可能である（ステップ２０８）。その後、ドナーエンティティ１９２は、少なくとも被転写ドナーフィルムから転写されないＯＬＥＤ材料２０９の少なくとも一部を、再利用するために回収できる。様々な技術は、被転写ドナーフィルムから未使用のＯＬＥＤ又は他の材料を回収するために入手可能である。
【００６８】
図１１は、モデル１９０のＬＩＴＩ処理のためのドナーフィルムの使用を提供し、使用を許諾するための方法２１０のフローチャートである。方法２１０において、表示パネルエンティティは、ドナーフィルムを要求し（ステップ２１２）、ドナーエンティティから、ドナーフィルムを受理する（ステップ２１４）。表示パネルエンティティは、ドナーフィルムを転写される材料でコーティングし（ステップ２１６）、表示素子を作製するためにコーティングされたドナーフィルムの転写プロセスを実行する（ステップ２１８）。ライセンス料は、ドナーフィルムを使用するために提供される（ステップ２２０）。ライセンス料は、あらゆる方法でも提供可能であり、あらゆる貨幣価値を含むことができる。表示パネルエンティティが被転写ドナーフィルムを返却する場合（ステップ２２２）、ドナーエンティティはクレジットを提供し（ステップ２２４）、表示パネルエンティティのもとに設けられたあらゆる貨幣価値を含むことができる。補助的なステップにおいて、ドナーエンティティは、ドナーフィルムから転写されない材料の少なくとも一部を回収可能であり、更に、ＬＩＴＩ処理の間、その性能に関してフィードバックを得るために、被転写ドナーフィルムの分析を実行することができる（ステップ２２６）。
【００６９】
ドナー製造業者は、ドナーシートから材料を除去し、精製するためのステップを使用して、転写されないＯＬＥＤ材料を任意に回収可能である。その後、回収されたＯＬＥＤ材料は、ディスプレイの作製に使用するために表示パネルエンティティに転売可能であり、例えば、又は、他のあらゆる目的のために使用可能である。表７及び表８は、被転写ドナーフィルムからＯＬＥＤ材料を回収するのための２つのステップの例を記載する。あるいは、再利用可能なこのような状態でＯＬＥＤ材料を回収する他のあらゆるステップも、使用可能である。
【００７０】
【表７】
2009502023.tif 000009
【００７１】
【表８】
2009502023.tif 000010
【００７２】
図６及び図９〜図１１に示すモデル及び方法は、例えば、関連の団体の中の法的関係、ドナーエンティティ及び表示パネルエンティティの形で具体化される。また、図５及び図９に示す方法は、例えば、ドナーフィルムの納品、フィルムフレーム及び被転写ドナーフィルム、ライセンス料及びクレジットの戻りをモニタし、追跡するコンピュータ化された処理として行うことができる。
【００７３】
転写の準備におけるドナーフィルムの処理
図１２は、ＬＩＴＩ処理用の複数の転写領域を有するストックロール製品として、ドナーフィルムを提供するためのビジネスモデル２３０を示した図である。モデル２３０において、ドナーエンティティ２３２は、表示パネルエンティティ２３８にストックロール製品、複数の転写領域を有するドナーフィルム２３４を納品する（ステップ２３６）。ドナーフィルムの保護を補助するために、ドナーエンティティ２３２は、一般に、発送に適したパッケージにドナーフィルムを梱包し、製品を発送するあらゆる方法を通じてそれを運搬する。表示パネルエンティティ２３８は、ストックロール製品から、コーティングされたドナーフィルムを使用した表示素子２４０を作製する。
【００７４】
図１３は、複数の転写領域を有するドナーフィルム２４２を示した図である。ドナーフィルム２４２は、一般に基板２４４及び転写領域２５２、２５４を含む。各転写領域は、一般にＬＴＨＣ２４６及び任意の中間層２４８の断面を含む。光学切断領域２５０はＬＴＨＣ又は中間層を含まず、該光学切断領域２５０は表示パネルエンティティが便利に個々の複数の転写領域の転写のためにドナーフィルムを切断することができる領域を表すことができる。これらの複数のドナーフィルム切断領域は、ＬＴＨＣ又は任意の中間層を切断することなく、ドナーフィルムの物理的区分を可能にする利点を有する。複数の切断領域は、ドナーフィルム上の物理的マーキングで識別されることができるか、又は、ドナーフィルムが不透明なＬＴＨＣを有する場合、複数の切断領域は、ＬＴＨＣを有さない実質的に透明な領域を識別するための外観検査で直ちに明らかとなる。
【００７５】
図１４は、モデル２３０におけるＬＩＴＩ処理用のストックロール製品として、ドナーフィルムを提供する方法２６０のフローチャートである。方法２６０において、表示パネルエンティティは、ドナーフィルムを要求し（ステップ２６２）、複数の転写領域を有するストックロール製品として、ドナーエンティティからドナーフィルムを受理する（ステップ２６４）。表示パネルエンティティは、複数の転写領域（ステップ２６６）に応じた転写用のドナーフィルムを任意に切断する。それは、ドナーフィルムを転写される材料でコーティングし（ステップ２６７）、コーティングされたドナーフィルムの転写プロセスを実行する（ステップ２６８）。
【００７６】
図１２及び図１４に示されるモデル及び方法は、例えば、関連の団体の中の法的関係、ドナーエンティティ及び表示パネルエンティティの形で具体化可能である。また、図１４に示す方法は、例えば、複数の転写領域を有するドナーフィルムの納品をモニタし、追跡し、コンピュータ化された処理として行うことができる。
【００７７】
ドナーの製造及び転写機能
図１５は、単一の連続ステップとして、設備内で表示素子を作製するために、ドナーフィルムを製造し、ＬＩＴＩを使用して該ドナーフィルムを転写するためのビジネスモデル２７０を示した図である。モデル２７０において、単一の物理的設備２７２は、単一のステップ２８２として、ドナーフィルムを製造する装置２７４、ドナーフィルムをコーティングするコータ２７６、及び、ドナーフィルムを転写するための転写装置２７８を含む。連続ステップ２８２の結果は、表示素子２８０である。
【００７８】
中央リポジトリを有するクリアリングハウス
図１６は、ＬＩＴＩ処理のためのドナーフィルムの納品を手配するために、クリアリングハウスとしての中央リポジトリを提供するためのシステム２９０を示している図である。モデル２９０は、ドナーエンティティ３１０内のマシン３１２及び表示パネルエンティティ３１４内のマシン３１６により、ネットワーク３０８を通じて接続される中央リポジトリ２９２を含む。中央リポジトリ２９２は、例えば、１つ以上のアプリケーション２９６を格納したメモリ２９４、データの非揮発性記憶装置を提供するための二次記憶装置３０２、情報の視覚的な表示を提供するための表示装置２９８、アプリケーションを実行するためのプロセッサ３０４、情報又はコマンドを受理するための入力装置３００、及び、例えば音声又はハードコピーの形で情報を出力するための出力装置３０６を含む。中央リポジトリ２９２は、転写用材料の識別と、ドナーフィルムの構造の識別と、どの材料が転写プロセスに関してどの前記ドナーフィルム構造と互換性を有するかの表示を提供する互換性データとを格納する。表６に概念的に示されるように、この情報はデータ構造内に格納可能である。
【００７９】
マシン３１２、３１６は、マシン２９２として同じ又は類似した構成要素を含むことができる。マシン２９２、３１２、３１６は、電子ネットワーク通信、例えば伝送制御プロトコル／インターネットプロトコル（TCP/IP）用のあらゆるプロトコルを使用したネットワーク３０８を通じて通信することが可能である。
【００８０】
図１７は、システム２９０を使用したＬＩＴＩ処理のためのドナーフィルムの納品を手配するために、クリアリングハウスとしての中央リポジトリを提供する方法３２０のフローチャートである。方法３２０において、中央リポジトリ２９２は表示パネルエンティティ３１４から、ドナーフィルムの注文を受理する（ステップ３２２）。前記注文に基づいて、中央リポジトリ２９２はドナーフィルム及び材料を選択する（ステップ３２４）。中央リポジトリ２９２が、表示パネルエンティティ３１０に注文されたドナーフィルムを納品するためにメッセージを指示するドナーエンティティ３１０に該メッセージを送り（ステップ３２６）、該中央リポジトリ２９２が、注文されたドナーフィルムを使用して、転写のための選択された材料の該メッセージを通知する表示パネルエンティティ３１４にメッセージを送る（ステップ ３２８）。ドナーエンティティは、例えばロール製品又は個々のシートとして、多くの異なる形でドナーフィルムを提供可能である。ドナーフィルムの保護を補助するために、ドナーエンティティ２３２は、一般に、発送に適したパッケージにドナーフィルムを梱包し、製品を発送するあらゆる方法を通じてそれを運搬する。
【００８１】
中央リポジトリ２９２も、運搬されたドナーフィルム用の表示パネルエンティティ３１４にインボイスを送ることができる（ステップ３３０）。表示パネルエンティティも、運搬されたドナーフィルムの転写に関する使用データを要求した場合（ステップ３３２）、中央リポジトリ２９２は、使用データを表示パネルエンティティ３１４に送信し（ステップ３３４）、使用データのための料金を受け取る（ステップ３３６）。使用データは、ドナーフィルムと共に、あるいは、別個に、例えば電子メッセージで提供可能である。上記の通りに、使用データは指示又は互換性ファイル、又は、指示及び互換性ファイルの組み合わせ、又は、該組み合わされた情報のサブセットを含むことができる。
【００８２】
例示的な実施形態に関して記載されており、多くの変形が当業者にとって明らかであり、本出願はあらゆる調整又は変更を含み得ることを理解されたい。例えば、ドナーフィルムの様々なタイプの材料及び構造及びＬＩＴＩを実行するためのモデルの構造は、本発明の範囲内で使用可能である。本発明は、特許請求の範囲及びその等価物にのみ限定される。
【００８３】
添付図面は本明細書の一部に組み込まれ、構成するものであって、該明細書の記載と共に本明細書の利点と原則を説明する。
【図面の簡単な説明】
【００８４】
【図１】ＬＩＴＩドナーフィルムの実施例を示した図。
【図２】ドナーフィルムにＬＩＴＩ処理用の指示を供給するためのビジネスモデルを示した図。
【図３】ドナーフィルムにＬＩＴＩ処理のための指示を供給する方法のフローチャート。
【図４】ドナーフィルムにＬＩＴＩ処理のための互換性ファイルを供給するためのビジネスモデルを示した図。
【図５】ドナーフィルムにＬＩＴＩ処理のための互換性ファイルを供給する方法のフローチャート。
【図６】ＬＩＴＩ処理のためのフィルムフレーム内にドナーフィルムを供給するためのビジネスモデルを示した図。
【図７】フィルムフレームに装着したドナーフィルムを示した図。
【図８】ドナーフィルムが装着したフィルムフレームのカセットを示した図。
【図９】ＬＩＴＩ処理用のフィルムフレーム内にドナーフィルムを供給する方法のフローチャート。
【図１０】供給すること及び使用を許諾するためのビジネスモデルを図示した図であるＬＩＴＩ処理用のドナーフィルムの使用。
【図１１】ＬＩＴＩ処理用のドナーフィルムの使用の提供及び使用を許諾するための方法のフローチャート。
【図１２】ＬＩＴＩ処理用の複数の転写領域を有するストックロール製品として、ドナーフィルムを供給するためのビジネスモデルを示した図。
【図１３】複数の転写領域を有するドナーフィルムを示した図。
【図１４】ＬＩＴＩ処理用のストックロール製品として、ドナーフィルムを供給する方法のフローチャート。
【図１５】単一の連続ステップとして、設備における表示素子を作製するために、ドナーフィルムを製造し、ＬＩＴＩを使用して該ドナーフィルムを転写するためのビジネスモデルを示した図。
【図１６】ＬＩＴＩ処理のためのドナーフィルムの納品を手配するために、クリアリングハウスとしての中央リポジトリを提供するためのシステム２９０を示している図。
【図１７】ＬＩＴＩ処理のためのドナーフィルムの納品を手配するために、クリアリングハウスとしての中央リポジトリを提供する方法のフローチャート。
【図１】
2009502023.tif 000011
【図２】
2009502023.tif 000012
【図３】
2009502023.tif 000013
【図４】
2009502023.tif 000014
【図５】
2009502023.tif 000015
【図６】
2009502023.tif 000016
【図７】
2009502023.tif 000017
【図８】
2009502023.tif 000018
【図９】
2009502023.tif 000019
【図１０】
2009502023.tif 000020
【図１１】
2009502023.tif 000021
【図１２】
2009502023.tif 000022
【図１３】
2009502023.tif 000023
【図１４】
2009502023.tif 000024
【図１５】
2009502023.tif 000025
【図１６】
2009502023.tif 000026
【図１７】
2009502023.tif 000027
【国際調査報告】
2009502023.tif 000028
2009502023.tif 000029
2009502023.tif 000030